(57)【要約】【課題】既製服を着用した状態での計測で、着用者が動くことも有り、メジャーでは計測しずらく、直し分量を正確に測れないという点があった、直し分量を正確に、そして、依頼者も計測者も安心し計測することが出来又、計測に時間をかけることなくできる、衣服の留め具と計測具の止め具を固定して納得できる計測方法を可能とした。【解決手段】衣服の止め具を計測具に留め、計測具の留め具を衣服に留めて固定し、その計測具に目盛りを設けたことで解決できるものである。【選択図】  図１
2010024584.tif 000002
【特許請求の範囲】
【請求項１】
一対の長辺と一対の短辺からなる平板状の基体の面に留め具を設け、該留め具の係止位置を目盛りの基準位として、前記基体の長手方向に係止位置から所定間隔の目盛りを設けると共に目盛り位置と一致する位置に止め部を設けたことを特徴とする衣服のサイズ直し計測具。
【請求項２】
請求項１記載の衣服のサイズ直し計測具において、留め具はボタン状又はカギ状であることを特徴とする請求項１記載の衣服のサイズ直し計測具。
【請求項３】
請求項１記載の衣服のサイズ直し計測具において、止め部はボタンの脚部を介してボタンを通し止めるスリット溝又はカギホックを止める孔であることを特徴とする請求項１記載の衣服のサイズ直し計測具。
【請求項４】
前記衣服のサイズ直し計測具において、平板状の基体の一方の面にボタン状留め具とスリット溝を設け、さらに他方の面にはカギ状留め具と止め孔を設けると共に、該ボタン状留め具及びカギ状留め具の係止位置を同じ位置又は同じ線上に設け、目盛り位置の一部を共有したことを特徴とする請求項１記載の衣服のサイズ直し計測具。
【発明の詳細な説明】
【技術分野】
【０００１】
本発明は、衣服のサイズ直し計測具に関する。
【背景技術】
【０００２】
ウエスト及び胴囲の直し寸法を測るにはメジャーだけで計測するしかなかった。
【０００３】
この改善策として、目盛り機能がついた固定具を提供することにある。
【発明の開示】
【発明が解決しようとする課題】
【０００４】
解決しようとする問題点は、既製服を着用した状態での計測で胴囲を摘み、摘んだままの状態で計測が行われ、着用者が動くことも有り計測しずらく、直し分量を正確に計測できないという点がある。
【課題を解決するための手段】
【０００５】
本発明のボタン状留め具を設けた計測具の構成は、一対の長辺と短辺からなる平板状の基体の一方の面の短辺の４/７の位置を他方の短辺と結んだ線上に長辺の１/２の位置と交わる点がボタン状留め具の係止位置となり、係止位置から長手方向の線上にスリット溝の止め部を所定間隔に設け、止め部から長め方向側の長辺に向かって切り開いたスリット溝を設ける、そして、スリット溝と一致する位置に目盛りを設ける。
【０００６】
又、留め具の係止位置は目盛りの基準位であるので平板状基体の端及び中央又は背面などの位置に設けても目盛りの基準位は変わらない、上記の短辺の４/７の位置前後に設けることも可能である、又、留め具の係止位置から目盛りとスリット溝の位置が決まる。
【０００７】
そして、スリット溝の幅は衣服付帯のボタン脚部の太さの幅が必要であり、糸仕様の脚部の場合は２ミリから５ミリの幅が好ましく、金具仕様の脚部の場合は５ミリから８ミリの幅が好ましい、又、スリット溝の形状は湾曲形状、凹凸形状などでも良い、又、スリット溝の止め部の位置が留め具の係止位置と同じ位置に設けることが好ましい。少しの高低があても可能である。
【０００８】
又、目盛りの位置は、スリット溝と一致する位置であれば何箇所設けても良い。
【０００９】
カギ状留め具を設けた構成は、平板状基体の一方の面の中心点にカギ状留め具の止め部の中心を合わせて設け、又、カギ状留め具の向きは、長手方向に向け、右向きに設けても、左向きに設けても、衣服には右前と左前があるので計測具の向きを返れば同じことである、上記カギ状留め具の止め部が係止位置になり又、目盛りの基準位ともなり、この係止位置から長手方向に所定間隔の止め穴を設けると共に目盛りも設ける。
【００１０】
上記止め孔の形状は、衣服に付帯するカギホックのカギの２ミリから４ミリ増しの大きさが好ましく、カギ状留め具が設けてある背面側の孔の一片に突起部を有し、突起部がカギホックを掛け止める部分で長手方向の一方方向に突起部の開口口を設ける、カギ状留め具の止め部を端に設けても、中央に設けても、突起部の開口口は一方方向に向けて設ける、又、止め孔の形状は、突起の無い平坦な孔の場合、細い溝の形状では留めにくく、掛け止める部分はカギが安定する形状が好ましく、三角形状、四角形状、楕円形状なども可能である。
【００１１】
ボタン状留め具とカギ状留め具が一対になった構成は、平板状の基体の短辺の１/２を堺に一方の面にボタン状留め具の構成を設け、他方の面にはカギ状留め具の構成で設け、長辺の１/２の線上にボタン状留め具を設け、背面の線上にカギ状留め具の止め部を設け、目盛りをボタン状留め具とカギ状留め具の堺に設け、共有の目盛りを持つものである。
【発明の効果】
【００１２】
本発明の衣服のサイズ直し計測具は、メジャーだけで測る方法は安定が無い、ボタン仕様にもカギホック仕様にも対応が出来、衣服と計測具を固定させて計測が出来るという利点がある。
【発明を実施するための最良の形態】
【００１３】
衣服のサイズ直し計測具は、既製服を依頼者が着用した状態での計測方法で有り、ウエストなどのサイズを詰めたり出したりする分量を正確に計測するには計測具の留め具と衣服付帯の止め具を使い動いても計測具が取り付けられ、計測位置が固定され変動なく安定して計測できるものである。
ボタン状留め具とカギ状留め具とボタン状とカギ状が一対になった計測具であり、ボタン状留め具の場合、先に衣服のボタン孔に計測具のボタン状留め具を内側から留め、衣服のボタンの脚部を介してスリット溝に通した分量が直し寸法分である、このように簡単に扱えるボタン状留め具の計測具。
【００１４】
カギ状留め具の計測具、衣服に付帯するカギ仕様の場合、計測具のカギ状留め具を衣服のカギホックに引っ掛け止め、衣服のカギホックのカギ部分を計測具の止め孔へ掛けとめる、又、カギの設ける位置によっては、サイズを大きくする場合にしか使用できない場合とサイズを詰める計測しか出来ない場合がある。ボタン状留め具は、衣服に留めた状態で計測具を反転させれば、スリット溝が下を向いていたのが上を向くだけで、詰めたり、出したりの計測が出来る。
【００１５】
一対になた計測具は、上記の使い方と同じ方法で出来る、また、全計測具とも止め部及び目盛りの数を少なくしたり、多くすることは可能である。
【実施例１】
【００１６】
図１は、本発明の１実施例の正面図であって、ボタン状留め具を中央に設けたことにより右が出し寸法の計測、左が詰め寸法の計測が出来るもので、左右の長手方向にスリット溝と一致する位置に目盛りと、ボタン状留め具を設けた計測具、目盛り表示数字は、横向き及び縦向き、見やすい向きでよい。
【実施例２】
【００１７】
図２は、カギ状留め具を中央に設けた正面図であって、詰め出しの計測が容易に出来る計測具。
【実施例３】
【００１８】
図３の実施例は、ボタン状留め具とカギ状留め具を一対にした計測具。
【産業上の利用可能性】
【００１９】
メジャーのみで計測をしていたものが、ボタン状留め具を設けた計測具とカギ状留め具を設けた計測具によって正確な計測ができるようになった。
【図面の簡単な説明】
【００２０】
【図１】ボタン状留め具を中央に設けた計測具の正面図
【図２】カギ状留め具を中央に設けた計測具の正面図
【図３】一対になった計測具のボタン状留め具を設けた正面図
【図４】一対になった計測具のカギ状留め具を設けた背面図
【図５】両端にボタン状留め具を設けた計測具の平面図
【図６】両面にボタン状留め具を設けた計測具の平面図
【図７】両端にかぎ状留め具と背面に突起した止め孔を設けた平面図
【図８】カギ状留め具の使用状態図
【図９】ボタン状留め具の使用状態図
【符号の説明】
【００２１】
１    平板状の基体
２    ボタン状計測具
３    カギ状計測具
４    長辺
５    短辺
６    係止位置
７    目盛り
８    ボタン状留め具
９    カギ状留め具
１０  スリット溝
１１  溝止め部
１２  止め孔
１３  カギ止め部
１４  空間部
１５  突起を有した止め孔
１６  共有目盛り位置
１７  ボタン状留め具とカギ状留め具が一対となった計測具
【図１】
2010024584.tif 000003
【図２】
2010024584.tif 000004
【図３】
2010024584.tif 000005
【図４】
2010024584.tif 000006
【図５】
2010024584.tif 000007
【図６】
2010024584.tif 000008
【図７】
2010024584.tif 000009
【図８】
2010024584.tif 000010
【図９】
2010024584.tif 000011